(57)【特許請求の範囲】
【請求項１】
便座装置を便器本体の上面に取り付けて昇降させる便座リフトアップ装置であって、
前記便座装置は、
便座と、
この便座を回動自在に軸支する便座支持部材と、
この便座支持部材の側面に操作部を露出させて往復移動するレバー本体部及びこのレバー本体部から下方に延びて前記便座支持部材の下面より下方に突出し、前記レバー本体部の往復移動に伴い第１位置と第２位置との間を往復移動する爪部を有するレバー部材とを備えており、
前記便座リフトアップ装置は、
第１係止部を有し、前記便器本体の上面に固定される下プレートと、
上方に開口しており、前記第１位置に移動した前記爪部が係止する係止凹部と前記第１係止部に係止する第２係止部とを有し、前記下プレートに対して昇降する上プレートと、
この上プレートを上昇させる方向に弾性力を付与する第１弾性部材を有する便座取付具とを備え、
前記操作部が操作されて前記爪部が前記第１位置から前記第２位置へ移動する際に、この爪部が前記第１係止部又は前記第２係止部の一方を移動させ、
前記爪部が前記第１位置から前記第２位置へ移動する中間位置で、前記第１係止部と前記第２係止部との係止状態が解除され、前記爪部が前記中間位置から前記第２位置へ向けて移動するとこの爪部と前記係止凹部との係止状態が解除されることを特徴とする便座リフトアップ装置。
【請求項２】
前記爪部が前記操作部が操作されて前記第２位置に移動すると前記係止凹部との係止状態が解除されることを特徴とする請求項１記載の便座リフトアップ装置。
【請求項３】
前記爪部が前記第１位置から前記第２位置に移動する際に、この爪部によって移動する前記第１係止部又は前記第２係止部の一方に対して、この移動方向とは反対方向に弾性力を付与する第２弾性部材を具備していることを特徴とする請求項１又は２記載の便座リフトアップ装置。
【請求項４】
前記爪部が前記中間位置から前記第２位置に移動する際に、この爪部によって移動する前記第１係止部又は前記第２係止部の一方に対して、この移動方向とは反対方向に弾性力を付与する第３弾性部材を具備していることを特徴とする請求項１乃至３のいずれか１項記載の便座リフトアップ装置。
【請求項５】
前記便座装置と請求項１乃至４のいずれか１項記載の便座リフトアップ装置とを備えていることを特徴とする昇降便座。
【発明の詳細な説明】
【技術分野】
【０００１】
本発明は便座リフトアップ装置及び昇降便座に関する。
【背景技術】
【０００２】
特許文献１の図１には、従来の便座取付具が開示されている。この便座取付具は、軸部材と、挿通した軸部材が上下動する貫通孔を有する筒部材と、軸部材が上昇する方向に弾性力を付与する弾性部材とを備えている。軸部材の上端部には平面視が正方形の平板上の頭部が設けられている。軸部材は便座を回動自在に軸支する便座支持部材の底面に設けられた収納部内に頭部をスライドさせて挿入している。このようにして、軸部材は便座支持部材の底面から垂直下方に延びた状態で便座支持部材に取り付けられている。筒部材は便器本体の後部上面に垂直方向に貫設された取付孔に固定されている。軸部材の外側面には凹部が形成され、この凹部に係止する係止爪が筒部材の側面に設けられている。弾性部材は、軸部材の下端面と、筒部材の下端開口を封鎖する蓋体の上面との間に挟持されている。
【０００３】
この便座取付具では、係止爪を回動させて凹部に係止させることにより、弾性部材の弾性力に抗して軸部材を下降位置に保持することができる。これにより、便座及び便座支持部材を備えた便座装置を便器本体の上面に載置した状態に取り付けることができる。また、この便座取付具では、係止爪を回動させて凹部との係止を解除することにより、弾性部材の弾性力によって軸部材が上方に押し上げられる。これにより、便座装置を便器本体の上面より上方の上昇位置に上昇させることができる。このため、便座支持部材の下面と便器本体の後部上面との間に隙間を生じさせることができ、その隙間を利用して便器本体の上面を容易に清掃することができる。
【０００４】
また、特許文献２には、従来の便座装置が開示されている。この便座装置は、便座と、この便座を回動自在に軸支する便座支持部材と、便座支持部材に設けられたレバー部材と、便器本体の上面に固定される固定プレートとを備えている。レバー部材は、便座支持部材の側面に操作部を露出させて往復移動するレバー本体部と、このレバー本体部から下方に延びて便座支持部材の下面より下方に突出し、レバー本体部の往復移動に伴い第１位置と第２位置との間を往復移動する爪部とを有している。固定プレートには上方及び前方に開口した係止凹部が設けられている。爪部は、係止凹部の前方の開口から挿入され、第１位置に移動することにより係止凹部に係止する。これにより、便座支持部材は固定プレートに結合される。また、操作部を操作して爪部を第１位置から第２位置に移動させることにより、爪部と係止凹部との係止を解除して爪部を係止凹部の前方開口から引き出すことができる。これにより、便座支持部材を固定プレートから取り外すことができる。このように、この便座装置は便器本体の上面への着脱を容易に行うことができる。
【先行技術文献】
【特許文献】
【０００５】
【特許文献１】特開２０００−５１００号公報
【特許文献２】特開２００６−２４１９４５号公報
【発明の概要】
【発明が解決しようとする課題】
【０００６】
しかし、特許文献１の便座取付具では、軸部材の鍔部が便座支持部材の底面に設けられた収納部にスライドさせて挿入されているに過ぎないため、軸部材に対して便座装置がずれてしまう虞がある。また、この便座取付具では、係止爪と係止凹部とが便器本体の上面部より下方に設けられているため、この係止爪と係止凹部とを係止させたり、係止を解除させたりする際に便器本体の上面部より下方で係止爪を操作しなければならない。このため、この便座取付具では便座装置を昇降させるための操作に手間を要する。
【０００７】
一方、特許文献２の便座装置では、爪部が係止凹部に係止した状態で便座支持部材が固定プレートに結合されるため、固定プレートに対して便座支持部材はずれ難い。そこで、この便座装置の固定プレートを特許文献１の便座取付具により便器本体の上面に固定することにより、便座装置を便器本体の上面で昇降させることが考えられる。しかし、このようにした場合でも、便座装置を昇降させるためには、便器本体の上面部より下方に設けられた係止爪を操作しなければならず、操作に手間を要する。また、便座装置を昇降させるために操作する係止爪と、便座装置を便器本体の上面から取り外すために操作する操作部とが別々に設けられることになる。このため、便座装置を便器本体上で昇降させたり、便座装置を便器本体の上面に着脱したりする操作に手間を要する。
【０００８】
本発明は、上記従来の実情に鑑みてなされたものであって、便座装置の便器本体上での昇降及び便座装置の便器本体に対する着脱を容易に行なうことができる便座リフトアップ装置及び昇降便座を提供することを解決すべき課題としている。
【課題を解決するための手段】
【０００９】
本発明の便座リフトアップ装置は、便座装置を便器本体の上面に取り付けて昇降させる便座リフトアップ装置であって、
前記便座装置は、
便座と、
この便座を回動自在に軸支する便座支持部材と、
この便座支持部材の側面に操作部を露出させて往復移動するレバー本体部及びこのレバー本体部から下方に延びて前記便座支持部材の下面より下方に突出し、前記レバー本体部の往復移動に伴い第１位置と第２位置との間を往復移動する爪部を有するレバー部材とを備えており、
前記便座リフトアップ装置は、
第１係止部を有し、前記便器本体の上面に固定される下プレートと、
上方に開口しており、前記第１位置に移動した前記爪部が係止する係止凹部と前記第１係止部に係止する第２係止部とを有し、前記下プレートに対して昇降する上プレートと、
この上プレートを上昇させる方向に弾性力を付与する第１弾性部材を有する便座取付具とを備え、
前記操作部が操作されて前記爪部が前記第１位置から前記第２位置へ移動する際に、この爪部が前記第１係止部又は前記第２係止部の一方を移動させ、
前記爪部が前記第１位置から前記第２位置へ移動する中間位置で、前記第１係止部と前記第２係止部との係止状態が解除され、前記爪部が前記中間位置から前記第２位置へ向けて移動するとこの爪部と前記係止凹部との係止状態が解除されることを特徴とする。
【００１０】
この便座リフトアップ装置では、爪部を第１位置から第２位置へ向けて移動させるように操作部を一方向に操作することにより、先ず、その中間位置で第２係止部と第１係止部との係止状態を解除することができる。これにより、便座取付具の第１弾性部材の弾性力を利用して上プレートを下プレートから容易に上昇させることができる。つまり、便座装置を便器本体の上面から上昇位置に容易に上昇させることができる。さらに、操作部を同一方向に操作して爪部を第２位置方向へ移動させることにより、爪部と係止凹部との係止状態を解除することができる。これにより、便座支持部材を上プレートから容易に取り外すことができる。つまり、便座装置を便器本体から容易に取り外すことができる。このように、この便座リフトアップ装置では、一つの操作部を一方向に操作することによって、その中間位置で、便座装置を便器本体の上面から上昇させることができ、さらに操作すると便座装置を便器本体から取り外すことができる。また、操作部は、便器本体の上面に配置された便座支持部材の側面に露出しているため、操作を容易に行なうことができる。
【００１１】
したがって、本発明の便座リフトアップ装置は、便座装置の便器本体上での昇降及び便座装置の便器本体に対する着脱を容易に行なうことができる。
【００１２】
また、本発明の便座リフトアップ装置は、同様のレバー部材を備えた便座装置に対して利用することができる。つまり、この便座リフトアップ装置を便器本体に取り付けることにより、同様のレバー部材を備えている便座装置であれば、例え、既存の便座装置であっても便器本体上での昇降及び便器本体に対する着脱を同様に行うことができる。また、同様のレバー部材を備えていれば、新規な便座装置に取り替えたとしても、便器本体上での昇降及び便器本体に対する着脱を同様に行うことができる。このように、この便座リフトアップ装置は、複数種類の便座装置に適用することができる。
【００１３】
前記爪部が前記操作部が操作されて前記第２位置に移動すると前記係止凹部との係止状態が解除され得る。この場合、爪部は第２位置に移動するまで係止凹部に係止した状態であり、爪部を完全に第２位置に移動させなければ爪部と係止凹部との係止状態は解除することができない。このため、便座装置を便器本体から取り外す際には、爪部が第２位置に完全に移動するように操作部を操作することになるため、便座装置を便器本体から取り外すための操作部の操作と、便座装置を便器本体の上面から上昇させるための操作部の操作とを明確に区別することができる。
【００１４】
前記爪部が前記第１位置から前記第２位置に移動する際に、この爪部によって移動する前記第１係止部又は前記第２係止部の一方に対して、この移動方向とは反対方向に弾性力を付与する第２弾性部材を具備し得る。この場合、爪部を第１位置から第２位置に移動させるために操作部を操作する際、第２弾性部材の弾性力が加わるため、意図せずに爪部が移動してしまうことを防止することができる。つまり、意図せずに便座装置を便器本体上で上昇させてしまったり、便器本体から取り外してしまったりすることを防止することができる。
【００１５】
前記爪部が前記中間位置から前記第２位置に移動する際に、この爪部によって移動する前記第１係止部又は前記第２係止部の一方に対して、この移動方向とは反対方向に弾性力を付与する第３弾性部材を具備し得る。この場合、爪部を第１位置から中間位置に移動させるための操作部の操作に比べ、爪部を中間位置から第２位置に移動させるための操作部の操作の方が第３弾性部材の弾性力が加わるため、より大きな力が必要となる。このように、操作部の操作感が変化するため、便座装置を便器本体から取り外すための操作部の操作を明確にすることができる。このため、意図せずに便座装置を便器本体から取り外してしまうことを防止することができる。
【００１６】
本発明の昇降便座は、前記便座装置と前記便座リフトアップ装置とを備えていることを特徴とする。この昇降便座では上述した効果を得ることができる。
【図面の簡単な説明】
【００１７】
【図１】実施例１の昇降便座が便器本体に取り付けられた状態を示す側面図である。
【図２】実施例１の昇降便座を便器本体に取り付ける状態を示す斜視図である。
【図３】実施例１の便座リフトアップ装置を示す分解斜視図である。
【図４】実施例１の便座リフトアップ装置を示す上面図である。
【図５】便座装置が下降位置に配置された状態を示す図４における矢視Ｘ−Ｘ断面図である。
【図６】図５の要部拡大図である。
【図７】便座装置が上昇位置に配置された状態を示す図４における矢視Ｘ−Ｘ断面図である。
【図８】図６の要部拡大図である。
【図９】実施例１の筒部材の下端部と被結合部材とを示す斜視図である。
【図１０】実施例１の被結合部材を接続部に取り付ける工程を示す側面図であり、（ａ）は取付け前の状態、（ｂ）は被結合部材を接続部に挿入した状態、（ｃ）は被結合部材を回転する状態、（ｄ）は被結合部材が接続部に取付けられた状態を示す。
【図１１】実施例１のレバー部材と便座リフトアップ装置との関係を示す平面図であり、（ａ）は爪部が第１位置に配置された状態、（ｂ）は爪部が中間位置に移動した状態、（ｃ）は爪部が第２位置に移動した状態を示す。
【図１２】実施例１の第１係止部材と爪部との関係を示す要部断面図であり、（ａ）は爪部が第１位置に配置された状態、（ｂ）は爪部が中間位置に移動した状態、（ｃ）は爪部が第２位置に移動した状態を示す。
【図１３】実施例１の便座装置の上昇位置で上プレートに対して便座装置を着脱する状態を示す側面図である。
【図１４】実施例２の第１係止部材と爪部との関係を示す要部断面図であり、（ａ）は爪部が第１位置に配置された状態、（ｂ）は爪部が中間位置に移動した状態、（ｃ）は爪部が第２位置に移動した状態を示す。
【発明を実施するための形態】
【００１８】
本発明の便座リフトアップ装置と便座装置とを備えた昇降便座を具体化した実施例１及び２を図面を参照しつつ説明する。
【００１９】
＜実施例１＞
実施例１の昇降便座は、図１及び図２に示すように、便座装置１０と便器本体１の上面に取り付けて便座装置１０を昇降させる便座リフトアップ装置２０とを備えている。
【００２０】
便座装置１０は、便座１１と、便蓋１２と、便座１１及び便蓋１２を回動自在に軸支する便座支持部１３と、レバー部材１４とを備えている。
【００２１】
便座支持部材１３はボックス状に形成されている。便座支持部材１３の内部には、一対の局部洗浄用ノズル１３Ａと、局部洗浄用ノズル１３Ａへの洗浄水の給水路に設けられた温水タンク１３Ｂと、局部洗浄用ノズル１３Ａへの洗浄水の給水路に設けられた開閉弁や温水タンク１３Ｂに内蔵されたヒーター等を制御する制御装置１３Ｃ等を有する局部洗浄装置が収納されている。
【００２２】
便座支持部材１３の下面には、後述する便座リフトアップ装置２０の上プレート３０と下プレート４０とが重ね合わされた状態で収納される収納凹部１６が設けられている。収納凹部１６の後端部は開放している。また、収納凹部１６の左右両端部には上プレート３０の左右に突出して設けられた鍔部３０Ａを挿入する溝部１６Ａが設けられている。収納凹部１６には、上プレート３０と下プレート４０とが重ね合わされた状態、若しくは上プレート３０が下プレート４０から上昇した状態で、収納凹部１６の後方から鍔部３０Ａを溝部１６Ａに挿入させながらスライドさせることにより、重ね合わされた状態の上プレート３０及び下プレート４０、若しくは上プレート３０のみを収納することができる。
【００２３】
レバー部材１４は、便座装置１０を便器本体１の上面に取り付けた状態で、便器本体１の前方から見て便座支持部材１３の左側面に操作部１４Ｂを露出させている。レバー部材１４は、左右方向に延び、左右方向に往復移動するレバー本体部１４Ａを有している。操作部１４Ｂはレバー本体部１４Ａの一端部から下方に延びて形成されている。レバー本体部１４Ａは便座支持部材１３内の底面に沿って配置されている。
【００２４】
レバー本体部１４Ａには、下方に延びて便座支持部材１３の下面（収納凹部１６の下面）より下方に突出し、レバー本体部１４Ａの往復移動に伴い第１位置と第２位置との間を往復移動する１対の爪部１４Ｃが形成されている。
【００２５】
レバー本体部１４Ａには、爪部１４Ｃが第１位置に配置される方向に弾性力を付与する圧縮コイルバネ１５が取り付けられている。圧縮コイルバネ１５の弾性力により爪部１４Ｃが第１位置に配置された状態では、操作部１４Ｂの外側面は便座支持部材１３の左側面と面一である。レバー部材１４は、圧縮コイルバネ１４の弾性力に抗して、操作部１４Ｂを便座支持部材１３の左側面より外側に引き出すことができる。これにより、爪部１４Ｃを第１位置から第２位置に移動させることができる。
【００２６】
便座リフトアップ装置２０は、図２〜図４に示すように、便器本体１の上面に固定される下プレート４０と、下プレート４０に対して昇降する上プレート３０と、上プレート３０を上昇させる方向に弾性力を付与する第１弾性部材である第１圧縮コイルバネ５１を有する便座取付具５０とを備えている。
【００２７】
下プレート４０は、下プレート本体部材４１と、第１係止部材４２と、第２弾性部材である第２圧縮コイルバネ４３とを有している。
【００２８】
下プレート本体部材４１は、下プレート４０が便器本体１の上面に固定された状態で、便器本体１の前方から見て左右に前後方向に延びた固定部４１Ａと、各固定部４１Ａの後部を連結する連結部４１Ｂとを有している。
【００２９】
各固定部４１Ａは、長方形状の平板であり、前後端及び外側端に上方に延びる土手部が形成されている。各固定部４１Ａには前後に並んで２つずつ貫通孔４４が設けられている。便器本体１が標準タイプの場合、前側の貫通孔４４に後述する便座取付具５０の筒部材５３を挿通して便座リフトアップ装置２０を便器本体１に取り付ける。また、便器本体１が大型タイプの場合、後側の貫通孔４４に便座取付具５０の筒部材５３を挿通して便座リフトアップ装置２０を便器本体１に取り付ける。
【００３０】
各貫通孔４４の前後には切り取り可能な切取部４４Ａが設けられている。切取部４４Ａを切り取ることにより、固定部４１Ａに前後方向に延びる長孔を形成することができる。切取部４４Ａを切り取って長孔を形成することにより、便座取付具５０の筒部材５３の挿通位置を便器本体１の大きさに合わせて前後方向に微調整することができる。
【００３１】
各固定部４１Ａの左右側部の上面には、複数の小突起４５を所定間隔ごとに前後方向に整列させた凹凸部が形成されている。この凹凸部は、後述する便座取付具５０の筒部材５３の頭部５３Ｃの下面との間で柔軟性を有するリング部材５３Ｇを挟持することにより、筒部材５３の挿通位置がずれることを防止するものである。各固定部４１Ａの下面には、固定部４１Ａの外形よりも僅かに小さい形状であり、前後方向に延びる長孔が形成された滑り止め部材４６が貼着されている。
【００３２】
連結部４１Ｂには第１係止部材４２を収納する収納部４７が形成されている。収納部４７は下方に開口しており、下方から第１係止部材４２が挿入される。収納部４７の下方開口は蓋部材４７Ａにより閉鎖されている。蓋部材４７Ａは、小突起を有して連結部４１Ｂの前端面に設けられた係止部４１Ｃと、小突起が挿入する開口を有して蓋部材４７Ａの前端面に設けた被係止部４７Ｂとを係止し、ビスＳにより連結部４１Ｂに固定されている。収納部４７内には、第２圧縮コイルバネ４３の一端が当接する第１当接部４３Ｂが形成されている。
【００３３】
収納部４７の上面には、上下方向に貫通し、左右に長い長方形状の第１開口部４７Ｂが貫設されている。第１開口部４７Ｂの上方から、収納部４７内に収納された第１係止部材４２の後述する後側の第１係止部４２Ｃを望むことができる。また、第１開口部４７Ｂには、上方から上プレート３０に設けられた後述する後側の第２係止部３２Ｂが挿入される。この第２係止部３２Ｂは、第１開口部４７Ｂの上方から挿入され、第１係止部４２Ｃに係止する。
【００３４】
収納部４７の右側面の後部には左右方向に貫通した第２開口部４７Ｃが貫設されている。第２開口部４７Ｃには、第１係止部材４２の後述する凸部４２Ｄが収納部４７の内側から突出する。
【００３５】
第１係止部材４２は、左右方向に延びた直方体形状の本体部４２Ａと、前端面の左右端部の２箇所に設けられた前側の第１係止部４２Ｂと、後端面の左右中間部に設けられた後側の第１係止部４２Ｃと、後端面の右側端部から右方向に突出して設けられた凸部４２Ｄとを有している。前側の各第１係止部４２Ｂは、第１係止部材４２が収納部４７に収納された状態では、収納部４７の前端部より前方に露出している。
【００３６】
本体部４２Ａの上面の中央部には左右方向に延びた凹部４２Ｅが設けられている。凹部４２Ｅには第２圧縮コイルバネ４３が収納される。凹部４２Ｅの右側内面には第２圧縮コイルバネ４３の他端が当接する第２当接部４３Ａが形成されている。
【００３７】
第１係止部材４２を下プレート４０の収納部４７に収納する際、第２圧縮コイルバネ４３は収納部４７内に形成された第１当接部４３Ｂと第１係止部材４２に設けられた第２当接部４３Ａとの間に挟持される。このため、第１係止部材４２には、第２圧縮コイルバネ４３の弾性力が右方向に付与されている。
【００３８】
上プレート３０は、レバー部材１４に形成された一対の爪部１４Ｃと同じ間隔を有して設けられ、上方に開口した２列の係止凹部３１を有している。各係止凹部３１は、前端部が上プレート３０の前端部に開口している。また、各係止凹部３１の後端部は直角に右方向に屈曲し、爪部１４Ｃが係止する段部３１Ａを形成している。このため、各係止凹部３１の前端部から後端部に挿入された爪部１４Ｃは、レバー本体部１４Ａに取り付けられた圧縮コイルバネ１５により第１位置に移動すると、段部３１Ａに係止する。
【００３９】
上プレート３０の下部には、下プレート４０の連結部４１Ｂを収納する空洞部が形成されている。この空洞部には、下プレート４０に設けられた前側の第１係止部４２Ｂに対応する２つの前側の第２係止部３２Ａと、下プレート４０に設けられた後側の第１係止部４２Ｃに対応する１つの後側の第２係止部３２Ｂとが設けられている。
【００４０】
上プレート３０は、下プレート４０の各固定部４１Ａに対応する位置に前後方向に延びて形成された固定凹部３３を有している。固定凹部３３の中央部には前後方向に延びる長孔３３Ａが設けられている。この固定凹部３３には、後述する便座取付具５０の軸部材５２を固定するワッシャーＷ１及びボルトＢ１が収納される。また、この長孔３３Ａには軸部材５２を固定するボルトＢ１が挿通される。
【００４１】
上プレート３０には、下プレート４０と重ね合わされた状態で左右に突出する鍔部３０Ａが形成されている。左右の鍔部３０Ａは、前部において外側部の間隔が狭くなるように中央側へ傾斜している。このため、上プレート３０の鍔部３０Ａは、前端側から便座支持部材１３の溝部１６Ａに挿入し易い。
【００４２】
便座取付具５０は、図３、図５〜図８に示すように、軸部材５２と、軸部材５２が挿通して上下動する貫通孔（第１貫通孔部５３Ｄ、第２貫通孔部５３Ｅ）を有する筒部材５３と、軸部材５２が上昇する方向に弾性力を付与する第１弾性部材である第１圧縮コイルバネ５１とを有している。
【００４３】
軸部材５２は、円柱状の第１軸部５２Ａと、この第１軸部５２Ａの下端に連続する円柱状の第２軸部５２Ｂと、この第１軸部５２Ａの上端に連続する円盤状の頭部５２Ｃとを有している。第２軸部５２Ｂの外径は第１軸部５２Ａの外径よりも小さく形成されている。頭部５２Ｃの直径は第１軸部５２Ａの外径よりも大きく形成されている。
【００４４】
軸部材５２は、頭部５２Ｃの上面から下方へ向けて螺子孔が形成されている。第２軸部５２Ｂの下端部の外周には第２軸部５２Ｂを一周する溝部５２Ｄが設けられている。この溝部５２Ｄには結合部材であるＯリング５４が嵌め込まれて取り付けられている。Ｏリング５４は、圧縮コイルバネをリング状に連結したものである。
【００４５】
第２軸部５２Ｂの下端面には円盤状の停止部材５２ＥがボルトＢ２により取り付けられている。停止部材５２Ｅは、後述する筒部材５３の下端部に取り付けられる被結合部材５５の外径と等しい外径を有している。このため、停止部材５２Ｅが被結合部材５５の下端面に当接し、軸部材５２が筒部材５３から上方へ抜けてしまうことを防止している。
【００４６】
筒部材５３は、外周面にねじ山が刻まれた円筒状の胴部５３Ａと、胴部５３Ａの下端に連続する接続部５３Ｂと、接続部５３Ｂに取り付けられた被結合部材５５と、胴部５３Ａの上端に連続する平面視が正方形の平板状の頭部５３Ｃとを有している。筒部材５３は第２軸部５２Ｂより長く形成されている。筒部材５３は、便器本体１の後部上面に左右に並んで垂直方向に貫設された一対の取付孔２に上方から挿通され、下端から挿入されたワッシャーＷ２を挟持してナットＮをねじ込むことにより固定される。
【００４７】
筒部材５３には、軸部材５２の第１軸部５２Ａの外径より僅かに大きい内径を有する第１貫通孔部５３Ｄが頭部５３Ｃの上面の開口から連続して、胴部５３Ａ内に上下方向に形成されている。また、筒部材５３には、軸部材５２の第２軸部５２Ｂの外径より僅かに大きい内径を有する第２貫通孔部５３Ｅが第１貫通孔部５３Ｄの下端に連続して筒部材５３の接続部５３Ｂ内に形成されている。
【００４８】
筒部材５３の下端部である接続部５３Ｂには、筒状の被結合部材５５が取り付けられている。被結合部材５５は、内周面の下端部に軸部材５２のＯリング５４が係止する係止部５５Ｅが形成されている。また、被結合部材５５には、図９及び図１０に示すように、上下に並んだ２列のスリット５５Ａ、５５Ｂが被結合部材５５の中心軸に対して対称の位置の側面に夫々形成されている。上側のスリット５５Ａには、被結合部材５５の上端部の内面に設けられた縦溝５５Ｃが連結されている。また、上側のスリット５５Ａは、下面の中間部に隆起部５５Ｄが形成されている。接続部５３Ｂの外側面には、筒部材５３の中心軸に対して対称の位置に２つの凸部５３Ｆが形成されている。
【００４９】
このように形成された被結合部材５５は、次のように接続部５３Ｂに取り付けられる。図１０（ａ）、（ｂ）に示すように、接続部５３Ｂの凸部５３Ｆを被結合部材５５の縦溝５５Ｃに挿通させ、接続部５３Ｂを被結合部材５５内に挿入する。すると、凸部５３Ｆは上側のスリット５５Ａの端部に挿入される。次に、被結合部材５５を筒部材５３の中心軸回りに回転させると、図１０（ｃ）に示すように、凸部５３Ｆが隆起部５５Ｄを乗り越える。この際、上側のスリット５５Ａと下側のスリット５５Ｂとの境界部分を下側スリット５５Ｂの空間側に変形させることができるため、凸部５３Ｆが隆起部５５Ｄを乗り越えることができる。また、凸部５３Ｆが乗り上げる側の隆起部５５Ｄの立ち上がり面が上り傾斜に形成されているため、凸部５３Ｆが隆起部５５Ｄを容易に乗り越えることができる。このようにして、図１０（ｄ）に示すように、凸部５３Ｆが隆起部５５Ｄを乗り越え、被結合部材５５は接続部５３Ｂに取付けられる。隆起部５５Ｄを乗り越えた凸部５３Ｆは、乗り越えた側の隆起部５５Ｄの側面が上側のスリット５５Ａの底面から垂直に立ち上がっているため、逆方向に隆起部５５Ｄを乗り越え難く、被結合部材５５が逆回転して接続部５３Ｂから抜け落ちてしまわない。
【００５０】
第１圧縮コイルバネ５１は、図５〜図８に示すように、第２軸部５２Ｂと第１貫通孔部５３Ｄとの間に配置され、第１軸部５２Ａの下端面と第１貫通孔部５３Ｄの下端面との間に挟持されている。このため、軸部材５２は上昇する方向に第１圧縮コイルバネ５１の弾性力が付与されている。
【００５１】
筒部材５３は第２軸部５２Ｂより長く形成されているため、軸部材５２が上昇した状態では、第１軸部５２Ａの下端部が第１貫通孔部５３Ｄの上端部に挿入されており、第２軸部５２Ｂの下端部が第２貫通孔部５３Ｅに挿通されている。このように、軸部材５２は上昇した状態で、第１軸部５２Ａの下端部が第１貫通孔部５３Ｄの上端部に保持され、第２軸部５２Ｂの下端部が第２貫通孔部５３Ｅに保持されている。つまり、筒部材５３の上端部と下端部との最も離れた２箇所で軸部材５２を保持することができる。
【００５２】
また、第１圧縮コイルバネ５１が第２軸部５２Ｂと第１貫通孔部５３Ｄとの間に配置され、第２軸部５２Ｂの外周面と第１貫通孔部５３Ｄの内周面とが第１圧縮コイルバネ５１の伸縮をガイドする。このため、第１圧縮コイルバネ５１が長くても安定して伸縮することができる。
【００５３】
また、第１圧縮コイルバネ５１が常時、筒部材５３に覆われており露出してしまわない。このため、第１圧縮コイルバネ５１に埃等が溜まらず、安定して伸縮することができる。また、第１圧縮コイルバネ５１の伸縮時に生じる音を筒部材５３内に閉じ込めることができるため、静音化を図ることができる。
【００５４】
このように構成された昇降便座では、次に示すように、便座装置１０を便器本体１に取り付ける。
【００５５】
先ず、図２に示すように、便座リフトアップ装置２０を便器本体１の後部上面に取り付ける。この際、便器本体１が標準タイプの場合、便座取付具５０の筒部材５３を下プレート４０の前側の貫通孔４４に挿通する。また、便器本体１が大型タイプの場合、便座取付具５０の筒部材５３を下プレート４０の後側の貫通孔４４に挿通する。また、下プレート４０の切取部４４Ａを切り取って長孔にした上で、便座取付具５０の筒部材５３をこの長孔に挿通してもよい。
【００５６】
次に、便器本体１の後部上面の取付孔２に筒部材５３を挿通し、下方からナットＮをねじ込んで下プレート４０を便器本体１の後部上面に固定する。この際、下プレート４０の切取部４４Ａを切り取って長孔にした場合には、前後方向に微調整しながら下プレート４０を便器本体１の後部上面に固定することができる。
【００５７】
次に、下プレート４０の第１係止部４２Ｂ、４２Ｃと上プレート３０の第２係止部３２Ａ、３２Ｂとを係止させ、下プレート４０と上プレート３０とを重ね合わせた状態にする。この状態でボルトＢ１を締め込み、軸部材５２の頭部５２ＣとボルトＢ１が挿通するワッシャーＷ１とにより上プレート３０を挟み込み、上プレート３０に便座取付具５０の軸部材５２を固定する。
【００５８】
次に、便器本体１の後部上面に取り付けられた上プレート３０と下プレート４０とを便座装置１０の便座支持部材１３に設けられた収納凹部１６に収納するように、便座支持部材１３を前方から後方へスライドさせる。この際、便座支持部材１３の収納凹部１６に設けられた溝部１６Ａに上プレート３０の鍔部３０Ａを挿入させながら、スライドさせる。すると、便座支持部材１３の収納凹部１６の下面より下方に突出する爪部１４Ｃが上プレート３０の係止凹部３１の前端部から挿入される。爪部１４Ｃは、便座支持部材１３を後方へスライドさせ、収納凹部１６に上プレート３０と下プレート４０とが完全に収納されると、図１１（ａ）及び図１２（ａ）に示すように、圧縮コイルバネ１５の弾性力により第１位置に配置される。つまり、爪部１４Ｃが段部３１Ａに係止した状態となる。このようにして、便座支持部材１３は上プレート１６に対して固定される。つまり、昇降便座の便座装置１０は便器本体１の上面に取り付けられる。
【００５９】
便器本体１に取り付けられた昇降便座において、操作部１４Ｂを一方向（左方向）に引き出す操作を行うと、図１１（ａ）、（ｂ）及び図１２（ａ）、（ｂ）に示すように、爪部１４Ｃは第１位置から第２位置へ向けて移動する。すると、爪部１４Ｃが下プレート４０の第１係止部材４２に設けられた凸部４２Ｄを左方向に押す。このため、第２圧縮コイルバネ４３の弾性力に抗して第１係止部材４２が左方向に移動する。これにより、第１係止部材４２に設けられた第１係止部４２Ｂ、４２Ｃも左方向に移動する。
【００６０】
このように、爪部１４Ｃを第１位置から第２位置へ向けて移動させるために操作部１４Ｂを操作する際、第２圧縮コイルバネ４３の弾性力が加わるため、意図せずに爪部１４Ｃが移動してしまうことを防止することができる。つまり、意図せずに便座装置１０を便器本体１上で上昇させてしまったり、便器本体１から取り外してしまったりすることを防止することができる。
【００６１】
爪部１４Ｃが第１位置から第２位置へ移動する中間位置において、図１１（ｂ）及び図１２（ｂ）に示すように、第１係止部４２Ｂ、４２Ｃは第２係止部３２Ａ、３２Ｂとの係止状態を解除する。これにより、便座取付具５０の第１圧縮コイルバネ５１の弾性力を利用して上プレート３０を下プレート４０から容易に上昇させることができる。つまり、便座装置１０を便器本体１の上面から上昇位置に容易に上昇させることができる。
【００６２】
第１圧縮コイルバネ５１の弾性力は便座装置１０の荷重と略等しく設定されているため、第１係止部４２Ｂ、４２Ｃと第２係止部３２Ａ、３２Ｂとの係止状態が解除されたのみでは、便座装置１０は上昇しない。しかし、第１圧縮コイルバネ５１の弾性力と便座装置１０の荷重とか均衡しているため、便座装置１０の荷重を感じずに便座装置１０を持ち上げることができる。つまり、操作部１４Ｂを左方向に引き出して爪部１４Ｃを中間位置に移動させながら、便座装置１０の便座支持部材１３の両側を保持し、便座装置１０を容易に上方に持ち上げることができる。
【００６３】
便座装置１０を持ち上げて、図７及び図８に示すように、第２軸部５２Ｂの下端部のＯリング５４を被結合部材５５の係止部５５Ｅに係止させると、便座装置１０を上昇位置に確実に保持することができる。この状態で、筒部材５３の上端部と下端部との最も離れた２箇所で軸部材５２を保持しているため、上昇位置にある便座装置１０を安定させることができる。
【００６４】
便座装置１０を持ち上げて、Ｏリング５４を係止部５５Ｅに係止させる際に被結合部材５５が弾性変形するためクリック感が生じる。このため、便座装置１０が上昇位置に保持されたことを認識することができ、便座装置１０を上昇位置に確実に保持することができる。このため、図１３に示すように、便座装置１０を上昇させた状態でも、上プレート３０に対して便座装置１０を以下に示す操作によって取り外したり、取付けたりすることができる。
【００６５】
操作部１４Ｂを左方向へさらに引き出す操作を行い、爪部１４Ｃを第２位置へ移動させると、図１１（ｃ）及び図１２（ｃ）に示すように、爪部１４Ｃが係止凹部３１の段部３１Ａからはずれた位置まで移動し、爪部１４Ｃと係止凹部３１との係止状態が解除される。これにより、便座支持部材１３を前方へ引き出すことができる。つまり、便座装置１０を便器本体１から容易に取り外すことができる。このように、爪部１４Ｃを完全に第２位置に移動させなければ、爪部１４Ｃと係止凹部３１との係止状態は解除することができない。このため、便座装置１０を便器本体１から取り外す際には、爪部１４Ｃが第２位置に完全に移動するように操作部１４Ｂを操作することになり、便座装置１０を便器本体１から取り外すための操作部１４Ｂの操作と、便座装置１０を便器本体の上面から上昇させるための操作部１４Ｂの操作とを明確に区別することができる。
【００６６】
このように、この昇降便座では、一つの操作部１４Ｂを一方向（左方向）に操作することによって、その中間位置で便座装置１０を便器本体１の上面から上昇させることができ、さらに操作すると便座装置１０を便器本体１から取り外すことができる。また、操作部１４Ｂは便器本体１の上面に配置された便座支持部材１３の左側面に露出しているため、操作を容易に行なうことができる。
【００６７】
したがって、実施例１の昇降便座及び便座リフトアップ装置２０は、便座装置１０の便器本体１上での昇降及び便座装置１０の便器本体１に対する着脱を容易に行なうことができる。
【００６８】
また、実施例１の便座リフトアップ装置２０は、同様のレバー部材１４を備えた便座装置に対して利用することができる。つまり、この便座リフトアップ装置２０を便器本体１に取り付けることにより、同様のレバー部材１４を備えている便座装置であれば、例え、既存の便座装置であっても便器本体１上での昇降及び便器本体１に対する着脱を同様に行なうことができる。また、同様のレバー部材１４を備えていれば、新規な便座装置に取り替えたとしても、便器本体１上での昇降及び便器本体１に対する着脱を同様に行なうことができる。このように、この便座リフトアップ装置２０は、複数種類の便座装置に適用することができる。
【００６９】
＜実施例２＞
実施例２の昇降便座は、図１４に示すように、第１係止部材１４２の構成が実施例１と相違する。他の構成は、実施例１と同様であり、同一の構成については同一の符号を付し詳細な説明を省略する。
【００７０】
実施例２の第１係止部材１４２は、第３弾性部材である第３圧縮コイルバネ１４３を内蔵して左右方向に移動する移動部材１４４を有している。第１係止部材１４２の本体部１４２Ａには、移動部材１４４の右側に位置し、本体部１４２Ａと共に左右方向に移動する立壁部１４５が設けられている。立壁部１４５は、図１４（ａ）に示すように、爪部１４Ｃが第１位置に位置している際には、移動部材１４４の右側面から離れている。立壁部１４５は、図１４（ｂ）に示すように、爪部１４Ｃが左方向に移動して中間位置に移動すると、移動部材１４４の右側面に接する。爪部１４Ｃが中間位置から第２位置に移動する際には、図１４（ｂ）（ｃ）に示すように、立壁部１４５が移動部材１４４を左方向に移動させる。この際、この移動方向（左方向）とは反対方向に第３圧縮コイルバネ１４３の弾性力が移動部材１４４に付与される。つまり、爪部１４Ｃが中間位置から第２位置に移動する際、第１係止部４２Ｂ、４２Ｃに対して、第３圧縮コイルバネ１４３の弾性力が右方向に付与される。
【００７１】
このため、爪部１４Ｃを第１位置から中間位置に移動させるための操作部１４Ｂの操作に比べ、爪部１４Ｃを中間位置から第２位置に移動させるための操作部１４Ｂの操作のほうが第３圧縮コイルバネ１４３の弾性力が加わるため、より大きな力が必要となる。このように、操作部１４Ｂの操作感が変化するため、便座装置１０を便器本体１から取り外すための操作部１４Ｂの操作を明確にすることができる。このため、意図せずに便座装置１０を便器本体１から取り外してしまうことを防止することができる。
【００７２】
本発明は上記記述及び図面によって説明した実施例１及び２に限定されるものではなく、例えば次のような実施例も本発明の技術的範囲に含まれる。
（１）実施例１及び２では、第１弾性部材である第１圧縮コイルバネの弾性力を便座装置の荷重と略等しく設定したが、第１弾性部材の弾性力は便座装置の荷重より強くしてもよい。この場合、便座装置を第１弾性部材の弾性力のみにより上昇させることができる。
（２）実施例１及び２では、爪部が下プレートに設けられた第１係止部を移動させていたが、上プレートに移動可能な第２係止部を設け、爪部がその第２係止部を移動させて第１係止部と第２係止部との係止状態を解除してよい。
（３）実施例１及び２では、爪部が完全に第２位置に移動すると、爪部が係止凹部との係止状態を解除したが、爪部が第２位置まで移動しなくても中間位置から第２位置に向けて移動すれば係止凹部との係止状態を解除してもよい。
（４）実施例１及び２では、局部洗浄装置が便座支持部材に収納された便座装置を便座リフトアップ装置により昇降させたが、便座支持部材に局部洗浄装置を収納しない便座装置であってもよい。
（５）実施例１及び２ではレバー部材の操作部を便座支持部材の左側面に露出されているが、便座支持部材の右側面又は後側面に操作部を露出させてもよい。
【符号の説明】
【００７３】
１…便器本体
１０…便座装置
１１…便座
１３…便座支持部材
１４…レバー部材
１４Ａ…レバー本体部
１４Ｂ…操作部
１４Ｃ…爪部
２０…便座リフトアップ装置
３０…上プレート
３１…係止凹部
３２Ａ、３２Ｂ…第２係止部
４０…下プレート
４２Ｂ、４２Ｃ…第１係止部
４３…第２圧縮コイルバネ（第２弾性部材）
１４３…第３圧縮コイルバネ（第３弾性部材）
５０…便座取付具
５１…第１圧縮コイルバネ（第１弾性部材）
【図１】
0005384391.tif 000002
【図２】
0005384391.tif 000003
【図３】
0005384391.tif 000004
【図４】
0005384391.tif 000005
【図５】
0005384391.tif 000006
【図６】
0005384391.tif 000007
【図７】
0005384391.tif 000008
【図８】
0005384391.tif 000009
【図９】
0005384391.tif 000010
【図１０】
0005384391.tif 000011
【図１１】
0005384391.tif 000012
【図１２】
0005384391.tif 000013
【図１３】
0005384391.tif 000014
【図１４】
0005384391.tif 000015